(57)【要約】      （修正有）【課題】体験者がスクリーン装置の内部に出入りでき、体験者の行動等に依存してプロジェクタからの投射画像を変動させ、さらに、スクリーン装置内外の照明、音、気温、風及び香りのうちの少なくとも一つを制御して、体験者の視覚、聴覚、触覚又は嗅覚等に刺激を与えることができるプロジェクションシステムを提供する。【解決手段】４本の柱１及び梁２からなるシステムトラス３、６本のスクリーン懸垂部４、各スクリーン懸垂部に吊り下げられるスクリーン５、プロジェクタ７、体験者の行動を捉えるセンサ８、制御装置９、スクリーン駆動部１０、照明装置１１、スピーカ１２及び環境制御装置１３を備え、センサ８が捉えた体験者の行動に応じて制御装置９がプロジェクタ７及び環境制御装置１３を制御して、投射画像、照明装置１１及びスピーカ１２の出力を変動させる。【選択図】図２
0003208319.tif 000002
【実用新案登録請求の範囲】
【請求項１】
プロジェクタと、柔軟な薄い素材で形成され光透過性と光拡散性とを有するスクリーンを複数枚懸垂させたスクリーン装置と、前記プロジェクタから前記スクリーンに投射される画像を制御する制御装置とを有するプロジェクションシステムであって、
前記スクリーンに投射される画像を鑑賞する体験者の行動又は生理信号を捉えるため、前記スクリーン装置の近傍に設置又は前記体験者に装着されるセンサを備え、
前記制御装置は、前記センサが捉えた前記体験者の行動又は生理信号に応じて前記プロジェクタからの投射画像を制御する
ことを特徴とするプロジェクションシステム。
【請求項２】
照明装置、スピーカ、エアコン、送風機、熱線照射器及びアロマディフューザのうちの少なくとも１つ並びにそれらの動作を制御する環境制御装置をさらに備え、
前記環境制御装置は、前記センサが捉えた前記体験者の行動又は生理信号に応じて、前記照明装置、スピーカ、エアコン、送風機、熱線照射器及びアロマディフューザのうちの少なくとも１つの動作を制御する
ことを特徴とする請求項１に記載のプロジェクションシステム。
【請求項３】
前記スクリーン装置は、前記スクリーンの上端部を固定するスクリーン懸垂部を備えるとともに、該スクリーン懸垂部を移動又は揺動させるスクリーン駆動部を備えている
ことを特徴とする請求項１又は２に記載のプロジェクションシステム。
【考案の詳細な説明】
【技術分野】
【０００１】
本考案は、生体行動や生理信号に依存して出力状態が変化するインタラクティブな視聴触覚マルチモダル・プロジェクションシステムに関するものである。
【背景技術】
【０００２】
従来、特許文献１（特許第５２３３２６９号公報）に記載されるように、プロジェクタとプロジェクタから投射される投射画像を表示するスクリーン装置とを有する画像表示システムであって、スクリーン装置を光透過性と光拡散性とを有する複数の光拡散手段としたものが提案されている。
【０００３】
そして、このような画像表示システムによれば、プロジェクタからの投射画像は、各々の光拡散手段で画像を表示させることができ、スクリーン装置に人が入り込んだり物が置かれたりした場合でも、いずれかの光拡散手段で画像の表示がなされるので、スクリーン装置の周辺にいる人は、スクリーン装置内の人や物などの存在の影響を受けずに投射画像を見ることができる。
【０００４】
しかし、特許文献１の画像表示システムでは、プロジェクタからの画像は、客の状態や挙動に関係なくスクリーン装置に投射され、客の視覚に訴えるだけのものであるため、それほど強く客の興味を惹きつけられるシステムではなかった。
【先行技術文献】
【特許文献】
【０００５】
【特許文献１】特許第５２３３２６９号公報
【考案の概要】
【考案が解決しようとする課題】
【０００６】
本考案の第１の課題は、体験者がスクリーン装置の内部に出入りでき、体験者の行動（挙動や発声等）又は生理信号（体温、心拍数、筋電、脳波等）を捉えるセンサの信号に依存してプロジェクタからの投射画像を変動させるプロジェクションシステムを提供することである。
また、本考案の第２の課題は、体験者の行動又は生理信号を捉えるセンサからの信号に依存してプロジェクタからの投射画像を変動させるだけでなく、スクリーン装置内外の照明、音、気温、風及び香りのうちの少なくとも一つを制御して、体験者の視覚、聴覚、触覚又は嗅覚等に刺激を与えることである。
【課題を解決するための手段】
【０００７】
請求項１に係る考案は、プロジェクタと、柔軟な薄い素材で形成され光透過性と光拡散性とを有するスクリーンを複数枚懸垂させたスクリーン装置と、前記プロジェクタから前記スクリーンに投射される画像を制御する制御装置とを有するプロジェクションシステムであって、
前記スクリーンに投射される画像を鑑賞する体験者の行動又は生理信号を捉えるため、前記スクリーン装置の近傍に設置又は前記体験者に装着されるセンサを備え、
前記制御装置は、前記センサが捉えた前記体験者の行動又は生理信号に応じて前記プロジェクタからの投射画像を制御することを特徴とする。
【０００８】
請求項２に係る考案は、請求項１に記載のプロジェクションシステムにおいて、照明装置、スピーカ、エアコン、送風機、熱線照射器及びアロマディフューザのうちの少なくとも１つ並びにそれらの動作を制御する環境制御装置をさらに備え、
前記環境制御装置は、前記センサが捉えた前記体験者の行動又は生理信号に応じて、前記照明装置、スピーカ、エアコン、送風機、熱線照射器及びアロマディフューザのうちの少なくとも１つの動作を制御することを特徴とする。
【０００９】
請求項３に係る考案は、請求項１又は２に記載のプロジェクションシステムにおいて、前記スクリーン装置は、前記スクリーンの上端部を固定するスクリーン懸垂部を備えるとともに、該スクリーン懸垂部を移動又は揺動させるスクリーン駆動部を備えていることを特徴とする。
【考案の効果】
【００１０】
請求項１に係る考案によれば、柔軟な薄い素材で形成され光透過性と光拡散性とを有するスクリーンを複数枚懸垂させたスクリーン装置を有しているので、体験者はスクリーン装置の内部に入って投射画像を鑑賞でき、スクリーン装置の外側にいる体験者は他の体験者がスクリーン装置の内部に入っていても投射画像を鑑賞することができる。
また、スクリーンに投射される画像を鑑賞する体験者の行動又は生理信号を捉えるセンサを備え、制御装置は、センサが捉えた体験者の行動又は生理信号に応じてプロジェクタからの投射画像を制御するので、体験者の状態や挙動に依存してスクリーンに投射される画像が変動することとなり、投射画像に対する体験者の興味を惹きつけることができる。
【００１１】
請求項２に係る考案によれば、請求項１に係る考案による効果に加え、照明装置、スピーカ、エアコン、送風機、熱線照射器及びアロマディフューザのうちの少なくとも１つ並びにそれらの動作を制御する環境制御装置をさらに備え、
環境制御装置は、センサが捉えた体験者の行動又は生理信号に応じて、照明装置、スピーカ、エアコン、送風機、熱線照射器及びアロマディフューザのうちの少なくとも１つの動作を制御するので、スクリーン装置内外の照明、音、気温、風及び香りのうちの少なくとも一つが制御されることとなり、体験者に投射画像とは異なる視覚、聴覚、触覚又は嗅覚等の刺激を与えることができる。
【００１２】
請求項３に係る考案によれば、請求項１又は２に係る考案による効果に加え、スクリーン装置は、スクリーンの上端部を固定するスクリーン懸垂部を備えるとともに、スクリーン懸垂部を移動又は揺動させるスクリーン駆動部を備えているので、スクリーンに投射される画像に揺らぎを与えることができ、投射画像に対する体験者の興味をより強く惹きつけることができる。
【図面の簡単な説明】
【００１３】
【図１】実施例１のプロジェクションシステムの基本構成を示す斜視図。
【図２】実施例２のプロジェクションシステムの基本構成を示す斜視図。
【図３】実施例２のプロジェクションシステムの基本構成を示す平面図。
【図４】実施例３のプロジェクションシステムの基本構成を示す平面図。
【図５】変形例に係るプロジェクションシステムの基本構成を示す斜視図。
【考案を実施するための形態】
【００１４】
以下、実施例によって本考案の実施形態を説明する。
【実施例１】
【００１５】
実施例１のプロジェクションシステムの基本構成は、図１に示すとおり、高さ約４ｍの４本の柱１及び各柱１の上端を連結する長さ約５ｍの４本の梁２からなるシステムトラス３と、対向する一対の梁２に掛け渡される６本のスクリーン懸垂部４と、各スクリーン懸垂部４に上端部が固定され吊り下げられる幅約４．８ｍ、長さ約３．９ｍの半透明布からなるスクリーン５と、複数枚のスクリーン５に画像を投射するプロジェクタ７と、スクリーン５に投射される画像を鑑賞する体験者の行動（動きや発声等）を捉えるために梁２の中間部に設置されているセンサ８と、センサ８が捉えた体験者の行動に応じてプロジェクタ７からの投射画像を制御する制御装置９からなっている。
【００１６】
スクリーン５は半透明布からなっているため、プロジェクタ７からの投射画像はプロジェクタ７から離れた側に懸垂されているスクリーン５にも映し出される。
また、体験者は隣接するスクリーン５の間に入ることもできるが、プロジェクタ７からの投射画像は体験者の入った両側のスクリーン５に映し出されるので、体験者はそれらの画像を同時に鑑賞することができる。
さらに、６本のスクリーン懸垂部４が掛け渡される一対の梁２の内側にはスクリーン駆動部１０が設置されており、スクリーン懸垂部４を移動又は揺動させることができるようになっている。
そして、スクリーン懸垂部４を周期的又は間欠的に移動若しくは揺動させると、スクリーン５が揺らぐので、体験者は経験したことのない映像を鑑賞することができる。
【００１７】
センサ８はスクリーン装置６のプロジェクタ７側のスクリーン５付近に位置している体験者の動きを捉える人感センサ及び体験者の発声を捉えるマイクロフォンを有しており、体験者の行動に応じた信号を制御装置９（パーソナルコンピュータ）に送信する。
センサ８からの信号を受信した制御装置９は、その信号の強度や波形に応じてプロジェクタ７に制御信号を送信し、その制御信号を受信したプロジェクタ７は、投射画像の種類、明るさ、再生速度等を制御する。
【００１８】
実施例１のプロジェクションシステムは、上記のように構成されているので、体験者はスクリーン装置６の内部及び外部において、揺れ動くスクリーン５に投射される映像を鑑賞でき、プロジェクタ７は体験者の行動に依存して投射画像を制御させることにより、体験者の視覚に強く訴えることのできる映像をスクリーン５に投射することができる。
【実施例２】
【００１９】
実施例２のプロジェクションシステムの基本構成を図２に示す。
図２から分かるように、実施例２のプロジェクションシステムは、照明装置１１、スピーカ１２及びこれらの動作を制御する環境制御装置１３が付加され、制御装置９がプロジェクタ７だけでなく、環境制御装置１３にも制御信号を送信する点だけが異なっており、他の構成は実施例１のプロジェクションシステムと全く同じである。
そのため、他の構成についての説明は省略し、実施例１と変わっていない構成には、実施例１と同じ番号を用いて説明することとする。
【００２０】
実施例２のプロジェクションシステムは、実施例１の動作に加えてセンサ８からの信号を受信した制御装置９が、その信号の強度や波形に応じて環境制御装置１３にも制御信号を送信し、その制御信号を受信した環境制御装置１３は、照明装置１１の明るさや色及びスピーカ１２から出力される音の種類、大きさ、高低及び速度を制御する。
【００２１】
実施例２のプロジェクションシステムは、上記のように構成されているので、実施例１のプロジェクションシステムによる演出に加え、照明装置１１の明るさや色並びにスピーカ１２から出力される音の種類、大きさ、高低及び速度が、体験者の行動に依存して制御される。
そのため、体験者の状態に応じてタイムリーに体験者の視覚及び聴覚を刺激する演出を施すことができ、体験者は通常体験することのできない独特の雰囲気に浸ることができる。
【００２２】
図３は実施例２のプロジェクションシステムの基本構成を示す平面図であり、スクリーン装置６とプロジェクタ７との位置関係を説明するためのものである。
実施例２では、プロジェクタ７は、その光軸がスクリーン５のほぼ中心で直交するように高さ約２ｍ、最も近いスクリーン５との距離が約１０ｍの位置に設置されている。
なお、スクリーン装置６とプロジェクタ７との位置関係は、実施例１でも同様である。
【実施例３】
【００２３】
図４は実施例３のプロジェクションシステムの基本構成を示す平面図である。
実施例３のプロジェクションシステムは、実施例２のプロジェクションシステムに対して、プロジェクタ７が１つ増設され、センサ８、照明装置１１及びスピーカ１２が各々２つ増設されているだけが異なる。
そして、増設されたプロジェクタ７及びセンサ８は、実施例２のプロジェクタ７及びセンサ８をスクリーン装置６の中心を通る鉛直軸の回りに９０度回転させた位置に設置されており、増設された照明装置１１及びスピーカ１２は、プロジェクションシステム本体を挟んで実施例２の照明装置１１及びスピーカ１２と対向する位置に設置されている。
【００２４】
実施例３のスクリーン装置６は、スクリーン５が揺らいで、増設されたプロジェクタ７からの投射画像もスクリーン５に投影されるため、実施例１及び２のままとしている。
しかし、増設されたプロジェクタ７からの投射画像がより鮮明に投影されるように、対向する一対の梁２に、６本のスクリーン懸垂部４と直交する複数本の第２スクリーン懸垂部を掛け渡し、隣接するスクリーン５の隙間に懸垂可能な細長い半透明布からなる第２スクリーンの上端部を第２スクリーン懸垂部に固定しても良い。
【００２５】
実施例１〜３の変形例を列記する。
（１）実施例１〜３のシステムトラス３は、高さ約４ｍの４本の柱１及び各柱の上端を連結する長さ約５ｍの４本の梁２からなるものであったが、柱１及び梁２の長さは長くても短くても良く、全体の形状も直方体状に限らず、三角柱状、六角柱状等どのような形状であっても良い。
（２）実施例１〜３のスクリーン懸垂部４は、一対の梁２に掛け渡されるとともに、梁２に沿って移動するようになっていたが、梁２に固定されていても良い。
また、スクリーン懸垂部４を４本の梁２への配置は、対向する一対の梁２に平行に掛け渡すだけでなく、斜めに掛け渡したり隣接する２本の梁２に掛け渡したり等自由である。
さらに、軸を中心に回動できるようにしてスクリーン５を巻き取ったり伸ばしたりできるようにしても良い。
【００２６】
（３）実施例１〜３のスクリーン５は、半透明布からなるものであったが、光透過性と光拡散性とを有する柔軟な薄いものであれば、材質は紙や樹脂フィルム等どのような素材でも良い。
また、実施例１〜３では、１本のスクリーン懸垂部４に１枚の半透明布を懸垂したが、図５のように、幅の狭い半透明布を複数枚（図５の場合、幅約６０ｃｍ、長さ約３．９ｍの半透明布を８枚）１本のスクリーン懸垂部４に懸垂するようにしても良い。
（４）実施例１〜３のセンサ８は、梁２の中間部に設置されていたが、システムトラス３の内部又は近くであれば、設置場所はどこでも良い。
また、センサ８は画像を鑑賞する体験者の行動（動きや発声等）を捉えるために設置されていたが、それに加えてシステムトラス３の内部や周囲の環境（温度、湿度、風速、明るさ等）を検知できるようにしても良い。
さらに、体験者の行動（動きや発声等）又は生理信号（体温、心拍、筋電、脳波等）を捉えるため、体験者に装着するようにしても良い。
【００２７】
（５）実施例２及び３のプロジェクションシステムは、照明装置１１とスピーカ１２を備えていたが、エアコン、送風機、熱線照射器及びアロマディフューザを備えていても良く、照明装置、スピーカ、エアコン、送風機、熱線照射器及びアロマディフューザのうちの少なくとも１つを備えていれば良い。
そして、環境制御装置１３で制御可能な様々な装置を備えれば、体験者の視覚、聴覚だけでなく寒暖の感覚や触覚、嗅覚等の刺激も与えることができ、複数の感覚刺激を受けることによる生体内認知における相乗効果が促されて、感性の変動を誘発することが可能となる。
【符号の説明】
【００２８】
１  柱      ２  梁      ３  システムトラス      ４  スクリーン懸垂部
５  スクリーン      ６  スクリーン装置      ７  プロジェクタ
８  センサ      ９  制御装置      １０  スクリーン駆動部
１１  照明装置      １２  スピーカ      １３  環境制御装置
【図３】
0003208319.tif 000003
【図４】
0003208319.tif 000004
【図１】
0003208319.tif 000005
【図２】
0003208319.tif 000006
【図５】
0003208319.tif 000007